(57)【要約】【課題】  布を配置した空気通過部分を枠体に囲まれた形状として一般的な吹出口構造に類似させ、取付面との違和感を無くすと共に、布部分の交換を容易にして、清浄で優れた美観を備える吹出口装置を提供する。【解決手段】  周方向に連続する凹部１２ａを有する枠状の吹出口本体１０に対し、吹出口本体１０の開口部１０ａを覆うように布状材のフィルタ１３を配設すると共に、凹部１２ａに弾性体１４が装着されてフィルタ１３を緊張させ、開口部１０ａに配置されたフィルタ１３が凹凸の無い平面形状を保つことから、枠状部分の内側にフィルタ１３のある開口部１０ａが位置する一般的な吹出口に近い形状となって配設状態での違和感を無くせ、様々な箇所に広く適用できる。また、吹出口本体１０に対し弾性体１４を取外した状態ではフィルタ１３を容易に着脱交換でき、新しいフィルタ１３への交換が手間無く行える。【選択図】  図１
2009109128.tif 000002
【特許請求の範囲】
【請求項１】
空気調和用気体を通過させる開口部を取囲んだ枠状体として形成され、周方向へ略溝状に連続する凹部を配置され、天井又は壁に配設されてなる吹出口本体と、
前記開口部より大きく且つ通気性を有する柔軟な布状材で形成され、前記吹出口本体の凹部に端部を挿入されて前記開口部を覆った状態で配設されるフィルタと、
前記吹出口本体の凹部に着脱可能に挿入配設され、当接するフィルタ端部を凹部のより奥側に向わせる力を発生させ、開口部を覆うフィルタを緊張させる弾性体とを備えることを
特徴とする吹出口装置。
【請求項２】
前記請求項１に記載の吹出口装置において、
前記吹出口本体の凹部が、空気調和対象空間側に向けて開口する形状とされ、
前記弾性体が、弾性変形しつつ吹出口本体の凹部に挿入された状態で、フィルタ端部を空気調和対象空間から離れる向きに引張りながら支持すると共に、弾性復元力により凹部に面する吹出口本体各面に対し弾性体各部を密着させ、弾性体自体の凹部収容状態を保持することを
特徴とする吹出口装置。
【請求項３】
前記請求項２に記載の吹出口装置において、
前記吹出口本体の凹部内側及び／又はフィルタ端部に配設され、前記フィルタ端部を吹出口本体の凹部内側面に着脱可能に係止する仮止手段を備えることを
特徴とする吹出口装置。
【請求項４】
前記請求項２又は３に記載の吹出口装置において、
前記吹出口本体が、天井内部又は壁内部に取付けられて固定される取付枠と、当該取付枠に取付けられて天井面又は壁面に配置され、前記空気調和対象空間に現れる額縁枠との組合せ構造とされ、
前記凹部が、取付枠の空気調和対象空間側に形成され、
前記額縁枠が、弾性体を挿入した凹部を覆い隠す状態で取付枠に取付けられることを
特徴とする吹出口装置。
【請求項５】
前記請求項１に記載の吹出口装置において、
前記吹出口本体の凹部が、枠体内周側で開口部側に向けて開口する形状とされ、
前記弾性体が、弾性変形しつつ吹出口本体の凹部に挿入された状態で、フィルタ端部を枠体内周側から外周側に広げる向きに引張りながら支持すると共に、凹部の所定箇所に弾性体の一部を係合させ、且つ弾性復元力により前記係合状態を保持することを
特徴とする吹出口装置。
【請求項６】
前記請求項２又は３又は５のいずれかに記載の吹出口装置において、
前記吹出口本体が、天井又は壁内部に取付けられて固定される取付枠と、当該取付枠に取付けられて天井面又は壁面に配置され、前記凹部を形成されて空気調和対象空間に現れる額縁枠との組合せ構造とされることを
特徴とする吹出口装置。
【請求項７】
前記請求項６に記載の吹出口装置において、
前記額縁枠の弾性体を挿入した凹部を覆い隠す状態で額縁枠又は取付枠に着脱可能に取付けられるカバー部を備えることを
特徴とする吹出口装置。
【請求項８】
前記請求項１に記載の吹出口装置において、
前記吹出口本体の凹部が、吹出口本体内周側で開口部側に向けて開口する形状とされ、
前記弾性体が、弾性変形可能で且つ前記吹出口本体の開口部より若干大きい略環状体で形成され、フィルタ端部を外方に広げるように張力を与えてフィルタの緊張を維持可能な弾性変形付加状態でフィルタ周端部と一体化されてなり、フィルタ端部と共に凹部に弾性変形を伴いつつ挿入されて凹部奥側に向かう張力をフィルタに与えつつ凹部に係合し、フィルタを緊張状態で開口部に位置させることを
特徴とする吹出口装置。
【請求項９】
空気調和用気体を通過させる開口部を取囲んだ枠状体として形成され、開口部側に突出した凸部分を周方向へ連続させた形状の額縁部を有する吹出口本体と、
前記開口部より大きく且つ通気性を有する柔軟な布状材で形成されるフィルタと、
前記フィルタ端部に一体に取付けられる略枠状体で形成され、フィルタを緊張させた状態に維持しつつ、前記吹出口本体の額縁部に取付けられてフィルタを前記開口部に位置させるフィルタ支持体とを備えることを
特徴とする吹出口装置。
【発明の詳細な説明】
【技術分野】
【０００１】
本発明は、空気調和対象空間に面して配置される布面から空気を極めて遅い速度で流出させる吹出口装置に関し、特に、一種のフィルタとして作用し汚損しやすい布部を容易に交換でき、美観を維持可能な吹出口装置に関する。
【背景技術】
【０００２】
空気調和設備において、ダクトを通じて送られる調和空気を空気調和対象空間としての室内空間に吹出す吹出口装置は、一般に開口部を備えて調和空気を直接この開口部から室内空間に吹出すものとなっていたが、こうした吹出口装置では、室内空間の大きさに対して開口部の大きさが小さく、室内空間全体で有効に空気調和状態を得るために、ある程度の吹出風速を確保する必要があり、室内空間のちょうど吹出口開口部正面側に位置した人にドラフトを感じさせる場合がある他、塵埃の巻上げや拡散を生じさせて室内空間の清浄度を維持することが難しいなどの問題があった。このため、こうした問題によって、一般的な吹出口装置を採用できないような用途に対応すべく、吹出風速を極めて遅くできると共に吹出領域を広く設定可能な、布を使用した吹出口装置が近年使用されるようになっており、その一例として、特開平３−４５８５２号公報や特開平６−２０１１７９号公報に開示されるものがある。
【０００３】
この従来の吹出口装置は、通気性のある布製の本体部を通過させて空気を室内空間に送込むものであり、布製の本体部全面から極めて低速の空気を吹出すことができ、室内空間に対し均一な空気調和が可能となり、室内空間でのドラフトを生じさせないと共に、塵埃の巻上げや拡散を防げ、且つ新たな塵埃等の進入を布製の本体部がフィルタとして作用することで阻止できるなど、上記の問題を解消できる特徴を有していた。
【特許文献１】特開平３−４５８５２号公報
【特許文献２】特開平６−２０１１７９号公報
【発明の開示】
【発明が解決しようとする課題】
【０００４】
従来の布を使用した吹出口装置は前記各特許文献に示される構成となっており、極めて低速の吹出が行え、均一な空気調和が可能であるという優れた特長を有するものの、配設形態が天井面から突出した状態とならざるを得ず、その形状が既存の一般的な吹出口とかけ離れたものとなっているため、デザイン面での違和感を拭い去ることはできず、一般的な吹出口と単純に置換えて天井面に配置するのがためらわれるという課題を有していた。加えて、一般的な吹出口と置換えて天井面に配置する場合には、天井内部構造の変更も要することとなり、吹出口設置に係るコストが高くなるという課題を有していた。
【０００５】
また、従来の吹出口装置では、布の目の細かい隙間を吹出空気が通過してくるため、布は一種のフィルタとして働き、空気中の塵埃を捕捉することとなる。このため、使用するうちに布が汚れ、美観を損ねていたが、容易に交換できる構造とはなっておらず、交換作業は高い天井付近での作業となることも相俟って困難なものとなり、こうした保守の点においても手間とコストがかかるという課題を有していた。
【０００６】
本発明は前記課題を解消するためになされたもので、布を配置した空気調和用気体の通過部分を枠体に囲まれた形状として一般的な吹出口構造に類似させ、天井や壁等の取付部位との違和感を無くすと共に、布部分の交換を容易にして、清浄で美観の点でも優れる吹出口装置を提供することを目的とする。
【課題を解決するための手段】
【０００７】
本発明に係る吹出口装置は、空気調和用気体を通過させる開口部を取囲んだ枠状体として形成され、周方向へ略溝状に連続する凹部を配置され、天井又は壁に配設されてなる吹出口本体と、前記開口部より大きく且つ通気性を有する柔軟な布状材で形成され、前記吹出口本体の凹部に端部を挿入されて前記開口部を覆った状態で配設されるフィルタと、前記吹出口本体の凹部に着脱可能に挿入配設され、当接するフィルタ端部を凹部のより奥側に向わせる力を発生させ、開口部を覆うフィルタを緊張させる弾性体とを備えるものである。
【０００８】
このように本発明によれば、周方向に連続する凹部を有する枠状の吹出口本体に対し、吹出口本体の開口部を覆うように布状材のフィルタを配設すると共に、凹部に弾性体が装着されてフィルタを緊張させ、開口部に配置されたフィルタが凹凸の無い平面形状を保つことにより、枠状部分の内側にフィルタのある開口部が位置する外観が得られ、天井面や壁面から大きく突出しない一般的な吹出口に近い形状となって配設状態での違和感を無くせ、様々な箇所に広く適用できる。また、吹出口本体に対し弾性体を取外した状態ではフィルタを容易に着脱交換でき、新しいフィルタへの交換が手間無く行えると共に、弾性体との組合せでフィルタを張った状態を容易に得ることができ、交換時にフィルタを緊張させる作業の手間を大きく低減でき、交換を経てもフィルタが平面状に緊張した好ましい外観を確保できる。
【０００９】
また、本発明に係る吹出口装置は必要に応じて、前記吹出口本体の凹部が、空気調和対象空間側に向けて開口する形状とされ、前記弾性体が、弾性変形しつつ吹出口本体の凹部に挿入された状態で、フィルタ端部を空気調和対象空間から離れる向きに引張りながら支持すると共に、弾性復元力により凹部に面する吹出口本体各面に対し弾性体各部を密着させ、弾性体自体の凹部収容状態を保持するものである。
【００１０】
このように本発明によれば、吹出口本体の空気調和対象空間側に向けて開口している凹部で、弾性体が弾性体自体の凹部収容状態を維持すると共に、フィルタを緊張させながら支持することにより、天井面に吹出口が設置されて凹部が下向きに開口する場合においても、弾性体の落下防止を図りつつ、弾性体の着脱を容易に行え、且つフィルタの緊張を確実に維持する状態を確保でき、弾性体を取外した後はフィルタを空気調和対象空間側に引張って吹出口本体から容易に取外せる点と合わせて、取扱い性に優れる。
【００１１】
また、本発明に係る吹出口装置は必要に応じて、前記吹出口本体の凹部内側及び／又はフィルタ端部に配設され、前記フィルタ端部を吹出口本体の凹部内側面に着脱可能に係止する仮止手段を備えるものである。
【００１２】
このように本発明によれば、フィルタ端部を凹部に配置した状態を維持する仮止手段を配設し、吹出口本体に対し弾性体を取付けていない段階でも、仮止手段でフィルタを吹出口本体に係止したまま保持する仮止状態にできることにより、フィルタの交換作業で、フィルタを仮止状態とした後、速やかに弾性体を凹部に取付けることができ、弾性体取付の際にフィルタを吹出口本体から外れないように押えながら作業する必要が無く、取付作業性の大幅な向上が図れる。
【００１３】
また、本発明に係る吹出口装置は必要に応じて、前記吹出口本体が、天井内部又は壁内部に取付けられて固定される取付枠と、当該取付枠に取付けられて天井面又は壁面に配置され、前記空気調和対象空間に現れる額縁枠との組合せ構造とされ、前記凹部が、取付枠の空気調和対象空間側に形成され、前記額縁枠が、弾性体を挿入した凹部を覆い隠す状態で取付枠に取付けられるものである。
【００１４】
このように本発明によれば、吹出口本体のうち凹部を設けられて弾性体と共にフィルタを支持する取付枠が、空気調和対象空間寄りに配置される額縁枠で一部覆われ、空気調和対象空間側から弾性体及び凹部が見えなくなることにより、凹部に配置したフィルタ端部や弾性体がどのような外観であってもかまわず、これらフィルタ端部や弾性体の外観仕上げ処理の手間を省けると共に、額縁枠が空気調和対象空間側に配置されることで、より一般的な吹出口構造に近くなり、違和感をより一層感じにくくすると共に美観を向上させて、さらに適用できる箇所を増やせる。
【００１５】
また、本発明に係る吹出口装置は必要に応じて、前記吹出口本体の凹部が、枠体内周側で開口部側に向けて開口する形状とされ、前記弾性体が、弾性変形しつつ吹出口本体の凹部に挿入された状態で、フィルタ端部を枠体内周側から外周側に広げる向きに引張りながら支持すると共に、凹部の所定箇所に弾性体の一部を係合させ、且つ弾性復元力により前記係合状態を保持するものである。
【００１６】
このように本発明によれば、吹出口本体の枠内方に向けて開口している凹部で、弾性体が凹部に係合した状態を維持すると共に、フィルタを緊張させながら支持することにより、吹出口装置がどのような向きに設置されても、弾性体の吹出口本体からの脱落が取付作業時及び吹出口使用時において起りにくく、フィルタの緊張を確実に維持する状態を確保でき、取扱い性に優れる。また、額縁枠の空気調和対象空間側の部分に弾性体や凹部が現れないことで、より一般的な吹出口構造に近くなり、違和感をより一層感じにくくすると共に美観を向上させて、さらに適用できる箇所を増やせる。
【００１７】
また、本発明に係る吹出口装置は必要に応じて、前記吹出口本体が、天井又は壁内部に取付けられて固定される取付枠と、当該取付枠に取付けられて天井面又は壁面に配置され、前記凹部を形成されて空気調和対象空間に現れる額縁枠との組合せ構造とされるものである。
【００１８】
このように本発明によれば、吹出口本体のうち凹部を設けられて弾性体と共にフィルタを支持する額縁枠が、天井又は壁の内部に配設される取付枠に対して空気調和対象空間寄りに着脱可能に配置され、取付枠に対し必要に応じて空気調和対象空間側に取外せることにより、取付枠に取付けていない額縁枠に対しても凹部へのフィルタ端部や弾性体の着脱を実行でき、これらフィルタ端部や弾性体の額縁枠への装着を作業しやすい場所で行った後、額縁枠を取付枠に取付けるようにすれば、フィルタ端部や弾性体の着脱に係る作業性が大幅に向上することとなり、フィルタや弾性体を取付けた額縁枠をあらかじめ複数組用意しておけば、フィルタ交換に係る吹出口設置箇所での作業時間を大幅に短縮できる。
【００１９】
また、本発明に係る吹出口装置は必要に応じて、前記額縁枠の弾性体を挿入した凹部を覆い隠す状態で額縁枠又は取付枠に着脱可能に取付けられるカバー部を備えるものである。
【００２０】
このように本発明によれば、吹出口本体のうち凹部を設けられて弾性体と共にフィルタを支持する額縁枠が、空気調和対象空間寄りに配置されるカバー部で一部覆われ、空気調和対象空間側から弾性体及び凹部が見えなくなることにより、凹部に配置したフィルタ端部や弾性体がどのような外観であってもかまわず、これらフィルタ端部や弾性体の外観仕上げ処理の手間を省けると共に、吹出口としての美観を向上させられる。
【００２１】
また、本発明に係る吹出口装置は必要に応じて、前記吹出口本体の凹部が、吹出口本体内周側で開口部側に向けて開口する形状とされ、前記弾性体が、弾性変形可能で且つ前記吹出口本体の開口部より若干大きい略環状体で形成され、フィルタ端部を外方に広げるように張力を与えてフィルタの緊張を維持可能な弾性変形付加状態でフィルタ周端部と一体化されてなり、フィルタ端部と共に凹部に弾性変形を伴いつつ挿入されて凹部奥側に向かう張力をフィルタに与えつつ凹部に係合し、フィルタを緊張状態で開口部に位置させるものである。
【００２２】
このように本発明によれば、吹出口本体の枠内周側に向けて開口している凹部で、フィルタ周端部と一体化された略環状の弾性体が、弾性力でフィルタと共に凹部に係合した状態を維持すると同時に、フィルタを緊張させることにより、吹出口本体に対し弾性体及びフィルタを変形させながら容易に着脱できる上、吹出口装置がどのような向きに設置されても、弾性体及びフィルタの吹出口本体からの脱落が吹出口使用時において起りにくく、フィルタの緊張を伴いつつの支持状態を確実に維持できる。
【００２３】
また、本発明に係る吹出口装置は、空気調和用気体を通過させる開口部を取囲んだ枠状体として形成され、開口部側に突出した凸部分を周方向へ連続させた形状の額縁部を有する吹出口本体と、前記開口部より大きく且つ通気性を有する柔軟な布状材で形成されるフィルタと、前記フィルタ端部に一体に取付けられる略枠状体で形成され、フィルタを緊張させた状態に維持しつつ、前記吹出口本体の額縁部に取付けられてフィルタを前記開口部に位置させるフィルタ支持体とを備えるものである。
【００２４】
このように本発明によれば、内周側に突出する額縁部を有する枠状の吹出口本体に対し、布状材のフィルタと一体化した略枠状のフィルタ支持体が額縁部に取付けられて、フィルタが緊張状態で吹出口本体の開口部に配置されることにより、天井面又は壁面に露出した枠状部分の内側にフィルタのある開口部が位置する外観が得られ、天井面や壁面から大きく突出しない一般的な吹出口に近い形状となって配設状態での違和感を無くせ、様々な箇所に広く適用できる。また、吹出口本体に対しフィルタ支持体及びフィルタを容易に着脱交換でき、新しいフィルタへの交換が手間無く行えると共に、フィルタ支持体との組合せでフィルタを張った状態で固定化でき、交換時にフィルタを緊張させる作業の手間を大きく低減でき、交換を経てもフィルタが平面状に緊張した好ましい外観を確保できる。
【発明を実施するための最良の形態】
【００２５】
（本発明の第１の実施形態）
以下、本発明の第１の実施形態に係る吹出口装置を図１ないし図３に基づいて説明する。図１は本実施形態に係る吹出口装置の底面図及び断面図、図２は本実施形態に係る吹出口装置の要部拡大断面図、図３は本実施形態に係る吹出口装置におけるフィルタの取付状態説明図である。
【００２６】
前記各図において本実施形態に係る吹出口装置１は、矩形状の開口部１０ａを取囲む矩形枠状の吹出口本体１０と、この吹出口本体１０の開口部１０ａを覆った状態で配設される布製のフィルタ１３と、吹出口本体１０に着脱可能に配設されてフィルタ１３を支持すると共に、フィルタ１３を緊張状態とする弾性体１４とを備える構成である。
【００２７】
前記吹出口本体１０は、空気調和用気体としての調和空気を通過させる開口部１０ａを取囲んだ矩形枠状体として形成されるものであり、詳細には、天井５０内部に取付けられて固定される取付枠１１と、この取付枠１１に取付けられて天井５０面に配置され、空気調和対象空間に現れる額縁枠１２とを組合せてなる構成である。なお、この吹出口本体１０各部を構成する材料としては、アルミニウム等の金属材の他、セラミックスなどの無機材料や、合成樹脂材、木材、また、ＦＲＰ等の複合材を、それぞれ単体で、又は複数組合わせて用いることができる。
【００２８】
前記取付枠１１は、開口部１０ａを取囲む枠状体として形成され、天井５０内でチャンバー５１と連結接続される構成であり、チャンバー５１から調和空気を開口部１０ａに供給される。
【００２９】
前記額縁枠１２は、前記取付枠１１同様に開口部１０ａを取囲む枠状体として形成され、空気調和対象空間としての室内空間側に向けて開口し且つ周方向へ略溝状に連続する凹部１２ａを配置され、取付枠１１に取付けられ固定されることで天井５０面に配設される構成である。
【００３０】
この吹出口本体１０における額縁枠１２の凹部１２ａ内側には、フィルタ１３端部を凹部１２ａ内側面に着脱可能に係止する前記仮止手段としての面ファスナ１５が配設される構成である。
【００３１】
この他、凹部１２ａには、装着された弾性体１４をフィルタ交換の際に凹部１２ａから一旦取外すための手がかりとして、弾性体１４と凹部１２ａ内面間に配置され且つ一端部を外部に引出された状態とされる紐状体等を配設することもできる。
【００３２】
前記フィルタ１３は、前記吹出口本体１０の開口部１０ａより大きく且つ通気性を有する略矩形状の柔軟な布状材で形成され、吹出口本体１０の凹部１２ａに端部を挿入されて開口部１０ａを覆った状態で配設される構成である。このフィルタ１３端部には、吹出口本体１０の凹部１２ａ内側に配設されたものに対応する面ファスナ１６が配設される。
【００３３】
このフィルタ１３に、開口部１０ａに供給された調和空気を通すことで、フィルタ１３全体から極めて低速で調和空気を室内空間へ向けて吹出せる仕組みである。フィルタをなす布状材としては、織地、編地（ニット）、不織布等のうち、極小の孔が無数に空いた状態となって通気性を有するものを用いることができる。汚染に対する耐性の点で、布状材は吸湿性のないものが望ましい。
【００３４】
前記弾性体１４は、弾性変形能に優れ且つ強い弾性復元力を有するポリエチレン等の合成樹脂の発泡体で形成される略棒状体であり、断面形状を凹部１２ａより若干大きい矩形状とされてなる構成であり、前記取付枠１１と額縁枠１２を一体化した吹出口本体１０における凹部１２ａに着脱可能に挿入配設され、当接するフィルタ１３端部を凹部１２ａのより奥側に向わせる力を発生させ、開口部１０ａを覆うフィルタ１３を緊張させつつ支持する仕組みである。
【００３５】
この弾性体１４は、弾性変形しつつ凹部１２ａに挿入された状態で、弾性復元力によりフィルタ１３端部に強く密着し、この端部を空気調和対象空間から離れる向きとなる凹部１２ａ奥側へ引張った状態で保持すると共に、凹部１２ａの側壁部分を押圧して凹部１２ａ内側に密着し、弾性体１４自体の凹部１２ａからの離脱や凹部１２ａ内でのずれを防止可能となっている。
なお、弾性体１４については、フィルタ交換時に凹部１２ａから取出しやすくするために、作業者の指を掛ける窪みなどの手がかりを設けておくのが好ましい。
【００３６】
次に、前記構成に基づく吹出口装置におけるフィルタの着脱について説明する。吹出口本体１０に初めてフィルタ１３を取付ける場合、あらかじめ取付枠１１と額縁枠１２とを一体化させてなる吹出口本体１０に対し、この吹出口本体１０の開口部１０ａを覆うようにフィルタ１３を配置し、フィルタ１３端部と凹部１２ａにそれぞれ配設された仮止手段としての面ファスナ１５、１６同士を当接させて、フィルタ１３を吹出口本体１０に係止した仮止状態とする。この仮止状態では、フィルタ１３は開口部１０ａを覆うものの、まだ弛んで膨らんだり一部に皺が寄ったりしたような状態にある。
【００３７】
フィルタ１３端部をいずれも仮止状態としたら、吹出口本体１０の空気調和対象空間側に向けて開口している各凹部１２ａに弾性体１４を挿入する。仮止手段としての面ファスナ１５、１６でフィルタ１３を吹出口本体１０に係止した状態を保持できることから、フィルタ１３の仮止に続けて速やかに弾性体１４を凹部１２ａに挿入することができ、この弾性体１４挿入の際にフィルタ１３を吹出口本体１０から外れないように押えながら作業する必要は無い。
【００３８】
弾性体１４は凹部１２ａより若干大きいため、弾性体１４は変形を加えられながら凹部１２ａに挿入されるが、この時、弾性体１４はその弾性復元力で凹部１２ａ側面とフィルタ１３端部に密着し、密着状態のフィルタ１３を伴う状態で凹部１２ａ奥側へ入り込むこととなり、フィルタ１３はその端部を凹部１２ａ奥側へ引張られて額縁枠１２表面に沿いつつ各方向に緊張した状態となる。
【００３９】
こうして緊張状態となったフィルタ１３は、凹凸の無い平面形状を維持可能となる。凹部１２ａに装着された弾性体１４は、その弾性復元力により凹部１２ａ内に確実にとどまることができ、下向きに開口している凹部１２ａにおいても落下の危険はなく、また、調和空気の吹出時にフィルタ１３が風圧を受けて室内空間側に向けて強い押圧力を掛けられた状態となっても、弾性復元力でフィルタ１３を確実に保持し、フィルタ１３位置を取付時のままに維持する。
【００４０】
フィルタ１３及び弾性体１４の配設完了状態では、吹出口本体１０のなす枠状部分の内側にフィルタ１３のある開口部１０ａが位置する外観が得られ、各部が天井５０面から大きく突出することもなく、一般的な吹出口に近い形状となっている。
【００４１】
一方、フィルタ１３を交換する際には、吹出口本体１０の凹部１２ａから弾性体１４を引出し、完全に取出す。弾性体１４を取外した状態では、フィルタ１３端部の面ファスナ１５を凹部１２ａの面ファスナ１６から引離してフィルタ１３を容易に取外せ、新しいフィルタへの交換が手間無く行える。新たなフィルタ１３については、前記同様の手順で取付けることができ、弾性体１４を併用することで、交換を経てもフィルタ１３の緊張状態が容易且つ確実に得られ、交換時にフィルタ１３を平面状に張るような特別な作業は不要となる。
【００４２】
続いて、前記構成に基づく吹出口装置の吹出状態について説明する。チャンバ５１から送られた調和空気は、吹出口本体１０の開口部１０ａを下向きに進み、フィルタ１３に当ってこのフィルタ１３の無数の小孔を通過して室内空間に達する過程で、通過抵抗によりフィルタ１３全域から極低速で吹出す状態となる。調和空気の気流が開口部１０ａを覆うフィルタ１３全域から極めて遅い速度で吹出すことで、室内空間に対し均一な空気調和が可能となり、室内空間でのドラフトを生じさせないと共に、塵埃の巻上げや拡散も防げ、室内空間を極めて安定した空気調和状態に維持できる。
【００４３】
この調和空気がフィルタ１３を通過する際、通過抵抗分がそのまま風圧としてフィルタ１３に加わることとなるが、弾性体１４が周囲からフィルタ１３を強力に保持しており、風圧を受けたフィルタ１３が室内空間側に膨らんだりずれたりすることはない。
【００４４】
このように、本実施形態に係る吹出口装置においては、周方向に連続する凹部１２ａを有する枠状の吹出口本体１０に対し、吹出口本体１０の開口部１０ａを覆うように布状材のフィルタ１３を配設すると共に、凹部１２ａに弾性体１４が装着されてフィルタ１３を緊張させ、開口部１０ａに配置されたフィルタ１３が凹凸の無い平面形状を保つことから、吹出口本体１０に対し弾性体１４を取外した状態ではフィルタ１３を容易に着脱交換でき、新しいフィルタへの交換が手間無く行えると共に、弾性体１４との組合せでフィルタ１３を張った状態を容易に得ることができ、交換時にフィルタ１３を緊張させる作業の手間を大きく低減でき、交換を経てもフィルタ１３が平面状に緊張した好ましい外観を確保できる。
【００４５】
なお、前記実施形態に係る吹出口装置においては、吹出口本体１０を取付枠１１と額縁枠１２との組合せ構造としているが、これに限らず、天井内又は壁内の部分と空気調和対象空間に露出する部分とが一体構造となった一部品のみで吹出口本体を構成するようにしてもかまわない。また、吹出口本体１０としての取付枠１１と額縁枠１２は、フィルタ着脱に際しても分離することなく一体化した状態を維持する構成としているが、これに限らず、取付枠に対し額縁枠を容易に着脱可能な構成とし、フィルタ交換に際して、取付枠から分離した状態の額縁枠に対してフィルタ及び弾性体の着脱を実行し、フィルタ及び弾性体を既に取付けた状態の額縁枠を取付枠に取付けるようにすることもでき、フィルタ及び弾性体の額縁枠への着脱作業が吹出口のある天井や壁の近くに限定されず、これらの着脱を作業しやすい場所で実行可能となり、フィルタや弾性体の着脱に係る作業性が大幅に向上することに加え、フィルタや弾性体を取付けた額縁枠をあらかじめ複数組用意しておけば、フィルタ交換に係る吹出口設置箇所、すなわち、天井や壁の近くの作業しにくい箇所、での作業時間を大幅に短縮できる。
【００４６】
また、前記実施形態に係る吹出口装置においては、吹出口本体１０の額縁枠１２における凹部１２ａにフィルタ１３端部を係止する仮止手段として面ファスナ１５、１６を用いる構成としているが、これに限らず、線ファスナーやスナップボタン等の着脱を容易にする他の機構を用いることもできる。さらに、凹部側には特に何も設けず、フィルタ周端部にゴム紐やピアノ線等の線状に連続する弾性体を環状に連結したものを一体に配設する構成とし、弾性体を伸張させつつフィルタを開口部に被せて弾性体のあるフィルタ周端部を凹部に入れ、前記弾性体の凹部内で枠内方へ締ろうとする向きに作用する弾性復元力によりフィルタを仮止状態とする仕組みとしてもかまわない。
【００４７】
また、前記実施形態に係る吹出口装置においては、吹出口本体１０の額縁枠１２における凹部１２ａの幅を大きくし、仮止手段としての面ファスナ１６を適切に配置可能とし、且つ弾性体１４も凹部１２ａに対応させた形状として用いる構成としているが、これに限らず、図４に示すように、凹部１２ｂ内に仮止手段を配設しない代りに凹部１２ｂを狭幅化し、これに同じく狭幅化した弾性体１７を挿入してフィルタ１３を緊張状態で支持する構成とすることもでき、弾性体１７及び凹部１２ｂを空気調和対象空間側から目立たなくすることで、吹出口としての美観をより一層向上させられる。
【００４８】
また、前記実施形態に係る吹出口装置においては、吹出口本体１０の額縁枠１２に取付けた弾性体１４を、空気調和対象空間からそのまま見える状態で露出させた構成としているが、これに限らず、図５に示すように、額縁枠１２の弾性体１４を挿入した凹部１２ａを覆い隠すカバー部１８を着脱可能に取付ける構成とすることもでき、額縁枠１２が一部又は全部をカバー部１８で覆われて、空気調和対象空間側から弾性体及び凹部が隠れて見えなくなることにより、凹部に配置したフィルタ１３端部や弾性体１４の外観を考慮せずに済み、これらフィルタ端部や弾性体の外観に係る仕上げ加工等の手間を省けると共に、吹出口としての美観を大きく向上させられる。
【００４９】
また、前記実施形態に係る吹出口装置においては、吹出口本体１０の額縁枠１２に凹部１２ａを設け、これにフィルタ１３端部と弾性体１４を装着する構成としているが、これに限らず、図６に示すように、取付枠１１に凹部１１ａを設け、この凹部１１ａにフィルタ１３端部と弾性体１４を装着する一方、額縁枠１２を化粧材とし、弾性体を挿入した取付枠１１の凹部１１ａを覆い隠す状態で取付枠１１に着脱可能に取付ける構成とすることもでき、取付枠１１が額縁枠１２で覆われて、空気調和対象空間側から弾性体１４及び凹部１１ａが隠れて見えなくなることにより、前記同様、凹部に配置したフィルタ１３端部や弾性体１４の外観を考慮せずに済み、これらフィルタ１３端部や弾性体１４の外観に係る仕上げ加工等の手間を省けると共に、吹出口としての美観を大きく向上させられる。
【００５０】
（本発明の第２の実施形態）
本発明の第２の実施形態に係る吹出口装置を図７及び図８に基づいて説明する。図７は本実施形態に係る吹出口装置における額縁枠へのフィルタ取付状態説明図、図８は本実施形態に係る吹出口装置における額縁枠取付状態説明図である。
【００５１】
前記各図において本実施形態に係る吹出口装置は、前記第１の実施形態同様に、吹出口本体２０と、フィルタ２３と、弾性体２４とを備える一方、異なる点として、吹出口本体２０における凹部２２ａが、枠体内周側で開口部側に向けて開口する形状とされると共に、弾性体２４が凹部２２ａに対応した断面形状とされる構成を有するものである。
【００５２】
前記吹出口本体２０は、前記第１の実施形態同様、取付枠２１と、額縁枠２２とを備える一方、異なる点として、額縁枠２２の凹部２２ａの開口する向きを開口部側となるように形成した構成を有するものである。
【００５３】
前記額縁枠２２は、開口部２０ａを取囲む矩形枠状体として形成され、枠内周部分に内側の開口部２０ａ側に向けて開口し且つ周方向へ略溝状に連続する凹部２２ａを配置され、前記第１の実施形態同様、取付枠２１に取付けられ固定されることで天井５０面に配設される構成である。そして、この額縁枠２２の凹部２２ａ内面側には、フィルタ２３を緊張状態で支持する弾性体２４端部の嵌り込む溝２２ｂが配設される構成である。さらに、額縁枠２２上部には、フィルタ２３端部の凹部２２ａから露出した余り部分が開口部２０ａにかからないよう収容して、フィルタ余り部分が調和空気の進行を妨げるのを防ぐためのフィルタ押え部２２ｃが配設される。
【００５４】
前記弾性体２４は、弾性変形可能な材質で形成される略Ｔ字状断面形状の略棒状体とされてなる構成であり、前記額縁枠２２の凹部２２ａに枠内周側から着脱可能にフィルタ２３端部ごと挿入配設され、フィルタ２３端部を巻込む形で凹部２２ａに係合し、前記第１の実施形態同様、フィルタ２３端部を凹部２２ａのより奥側に向わせる力を発生させ、開口部２０ａを覆うフィルタ２３を緊張させつつ支持する仕組みである。
【００５５】
この弾性体２４は、弾性変形しつつ凹部２２ａに挿入されて凹部２２ａに係合し、弾性復元力によりフィルタ２３端部に強く密着し、この端部を開口部２０ａから離れる向きとなる凹部２２ａ奥側へ引張った状態で保持すると共に、弾性体２４端部を凹部２２ａ内の溝部２２ｂに嵌合させて、弾性体２４自体の凹部２２ａからの離脱や凹部２２ａ内でのずれを防止可能となっている。
【００５６】
なお、弾性体２４は、フィルタ交換時に凹部２２ａから取出しやすくするための手がかりとして、フィルタ２３端部の凹部２２ａから露出した余り部分を用いることができ、この余り部分をフィルタ押え部２２ｃから引出して開口部２０ａ側へ引張ることで、弾性体２４の端部が凹部２２ａ内の溝部２２ｂから離脱し、弾性体２４及びフィルタ２３端部が凹部２２ａから外れることとなる。
【００５７】
次に、前記構成に基づく吹出口装置におけるフィルタの着脱について説明する。吹出口本体２０に初めてフィルタ２３を取付ける場合、あらかじめ取付枠２１とは分離させた状態とされた額縁枠２２に対し、枠内の開口部２０ａを覆うようにフィルタ２３を配置し、折返したフィルタ２３端部を凹部２２ａに挿入した状態とする。
【００５８】
この状態で、フィルタ端部の折返し部分にちょうど挟まれるように弾性体２４を位置させてフィルタ２３と当接させ、弾性体２４を弾性変形させながらフィルタ端部ごと凹部２２ａに押込んで凹部２２ａに挿入する。押込んだ弾性体２４の端部を凹部２２ａ内の溝部２２ｂに嵌合させれば、弾性体２４全体が凹部２２ａに係合して容易に外れない状態となって挿入完了となる。この時、弾性体２４は弾性復元力でフィルタ２３を介して凹部２２ａ内面に密着し、端部を凹部２２ａ奥側へ引張り込ませた状態とされたフィルタ２３は各方向に緊張することとなる。こうして緊張状態となったフィルタ２３は、凹凸の無い平面形状を維持可能となる。そして、フィルタ２３端部の凹部２２ａから露出した余り部分は、開口部２０ａにかからないようフィルタ押え部２２ｃに収容しておく。
【００５９】
こうしてフィルタ２３及び弾性体２４が装着された額縁枠２２を、天井５０側の取付枠２１に取付ければ、フィルタ取付完了となる。この完了状態では、前記第１の実施形態同様、吹出口本体２０のなす枠状部分の内側にフィルタ２３のある開口部２０ａが位置する外観が得られ、各部が天井５０面から大きく突出することもなく、一般的な吹出口に近い形状となっていることに加えて、本実施形態の場合には、凹部２２ａの位置関係から、空気調和対象空間側から弾性体２４及び凹部２２ａが見えないことにより、吹出口としてシンプルで優れた美観を得られることとなる。
【００６０】
一方、フィルタ２３を交換する際には、吹出口本体２０の額縁枠２２を一旦取付枠２１から取外した後、額縁部２２の凹部２２ａから外に露出しているフィルタ２３端部の余り部分を枠内方へ引張ると、弾性体２４及びフィルタ２３端部を凹部２２ａから取外すことができる。全ての弾性体２４及びフィルタ２３端部を凹部２２ａから取外せば、フィルタ２３を額縁部２２から離して、新しいフィルタに交換できることとなる。新たなフィルタ２３については、前記同様の手順で取付けることができ、弾性体２４を併用することで、交換を経てもフィルタ２３の緊張状態が容易且つ確実に得られ、交換時にフィルタ２３を平面状に張るような特別な作業は不要となる。
【００６１】
このように、本実施形態に係る吹出口装置においては、吹出口本体２０の枠内方に向けて開口している凹部２２ａで、弾性体２４が凹部２２ａに係合した状態を維持すると共に、フィルタ２３を緊張させながら支持することから、吹出口装置がどのような向きに設置されても、弾性体２４の額縁枠２２からの脱落が取付作業時及び吹出口使用時において起りにくく、フィルタ２３の緊張を確実に維持する状態を確保でき、取扱い性に優れる。また、吹出口本体２０のうち額縁枠２２が、天井５０内部に配設される取付枠２１に対して必要に応じて空気調和対象空間側に取外せることから、取付枠２１に取付けていない状態の額縁枠２２に対して、フィルタ２３端部や弾性体２４の装着を作業しやすい場所で行った後、額縁枠２２を取付枠２１に取付けるようにすることで、フィルタ２３端部や弾性体２４の着脱に係る作業性を大幅に向上させられる。
【００６２】
（本発明の第３の実施形態）
本発明の第３の実施形態に係る吹出口装置を図９及び図１０に基づいて説明する。図９は本実施形態に係る吹出口装置の左半分省略底面図、図１０は本実施形態に係る吹出口装置のフィルタ取付状態説明図である。
【００６３】
前記各図において本実施形態に係る吹出口装置３は、前記第１の実施形態同様に、吹出口本体３０と、フィルタ３３と、弾性体３４とを備える一方、異なる点として、吹出口本体３０における凹部３２ａが、枠体内周側で開口部側に向けて開口する形状とされると共に、弾性体３４が略環状体とされ、フィルタ３３周端部に一体化されて配設される構成を有するものである。
【００６４】
前記吹出口本体３０は、前記第１の実施形態同様、取付枠３１と、額縁枠３２とを備える一方、異なる点として、額縁枠３２の凹部３２ａの開口する向きを開口部３０ａ側となるように形成した構成を有するものである。
【００６５】
前記額縁枠３２は、開口部３０ａを取囲む矩形枠状体として形成され、枠内周部分に内側の開口部３０ａ側に向けて開口し且つ周方向へ溝状に連続する凹部３２ａを配置され、前記第１の実施形態同様、取付枠３１に取付けられ固定されることで天井５０面に配設される構成である。
【００６６】
前記弾性体３４は、ピアノ線等の弾性変形可能な線状材料製で且つ前記開口部３０ａより若干大きい略環状体で形成され、フィルタ３３端部を外方に広げるように張力を与えてフィルタ３３の緊張を維持可能な弾性変形付加状態でフィルタ３３周端部に縫着一体化されてなる構成であり、フィルタ３３端部と共に凹部３２ａに弾性変形を伴いつつ挿入され、凹部３２ａ奥側に向かう張力を当接するフィルタ３３端部に与えつつ凹部３２ａに係合し、フィルタ３３を緊張状態で開口部３０ａに位置させる仕組みである。
【００６７】
次に、前記構成に基づく吹出口装置におけるフィルタの着脱について説明する。吹出口本体３０に初めてフィルタ３３を取付ける場合、あらかじめ取付枠３１と額縁枠３２とを一体化させてなる吹出口本体３０に対し、枠内の開口部３０ａを覆うようにフィルタ３３及び弾性体３４を配置し、開口部３０ａより大きいフィルタ２３及び弾性体３４を変形させながら、フィルタ３３端部と弾性体３４を凹部３２ａに挿入していく。フィルタ３３と弾性体３４の全周を凹部３２ａに挿入したら、装着完了となる。この時、弾性体３４は弾性復元力で凹部３２ａ内においてさらに奥側に拡大しようとするのをフィルタ３３で制限された状態にあり、この弾性体３４で外方へ拡大しようとする張力を与えられたフィルタ３３は各方向に緊張し、凹凸の無い平面形状を維持可能となる。
【００６８】
こうしてフィルタ３３及び弾性体３４が装着された状態では、前記第１の実施形態同様、吹出口本体３０のなす枠状部分の内側にフィルタ３３のある開口部３０ａが位置する外観が得られ、各部が天井５０面から大きく突出することもなく、一般的な吹出口に近い形状となっていることに加えて、本実施形態の場合には、凹部３２ａの位置関係から、空気調和対象空間側から弾性体３４及び凹部３２ａが見えないことにより、吹出口としてシンプルで優れた美観を得られることとなる。
【００６９】
一方、フィルタ３３を交換する際には、フィルタ２３及び弾性体３４を変形させながら、吹出口本体３０の凹部３２ａからフィルタ３３端部と弾性体３４を外していき、フィルタ３３と弾性体３４の全周を凹部３２ａから外したら、フィルタ３３及び弾性体３４を新しいものに交換できる。新たなフィルタ３３及び弾性体３４については、前記同様の手順で取付けることができ、弾性体３４を周端部に一体化していることで、フィルタ３３の緊張状態が常時得られ、交換時にフィルタ３３を平面状に張るような特別な作業は不要となる。
【００７０】
このように、本実施形態に係る吹出口装置においては、吹出口本体３０の枠内方に向けて開口している凹部３２ａで、フィルタ３３周端部と一体化された略環状の弾性体３４が、弾性力でフィルタ３３と共に凹部３２ａに係合した状態を維持すると同時に、フィルタ３３を緊張させることから、吹出口本体３０に対し弾性体３４及びフィルタ３３を変形させながら容易に着脱できる上、吹出口装置がどのような向きに設置されても、弾性体３４及びフィルタ３３の吹出口本体３０からの脱落が吹出口使用時において起りにくく、フィルタ３３の緊張を伴いつつの支持状態を確実に維持できる。
【００７１】
（本発明の第４の実施形態）
本発明の第４の実施形態に係る吹出口装置を図１１ないし図１３に基づいて説明する。図１１は本実施形態に係る吹出口装置の底面図、図１２は本実施形態に係る吹出口装置におけるフィルタ支持体の長手方向端部及び短手方向端部の各拡大断面図、図１３は本実施形態に係る吹出口装置におけるフィルタ支持体取付状態説明図である。
【００７２】
前記各図において本実施形態に係る吹出口装置４は、前記第１の実施形態同様に、吹出口本体４０と、フィルタ４３とを備える一方、異なる点として、弾性体に代えてフィルタ４３周端部に一体化される略枠状のフィルタ支持体４４を備えると共に、吹出口本体４０の枠体内周側にフィルタ支持体４４を載置可能となる額縁部４２ａが形成される構成を有するものである。
【００７３】
前記吹出口本体４０は、空気調和用気体を通過させる開口部４０ａを取囲んだ矩形枠状体として形成されるものであり、詳細には、前記第１の実施形態同様、、天井５０内部に取付けられて固定される取付枠４１と、この取付枠４１に取付けられて天井５０面に配置される額縁枠４２とを組合せてなる構成とされる一方、異なる構成として、額縁枠４２の枠内周側に前記額縁部４２ａを備えるものとなっている。
【００７４】
前記額縁部４２ａは、矩形枠状体として形成される額縁枠４２の空気調和対象空間寄り部位において開口部４０ａ側に突出した凸部分を周方向へ連続させた形状として形成され、枠内周側で略棚状となってフィルタ支持体４４を載置可能とされる構成である。
【００７５】
前記フィルタ支持体４４は、フィルタ４３周端部に一体に取付けられる矩形略枠状体で形成され、フィルタ４３と固定一体化されてフィルタ４３を緊張状態に維持しつつ支持し、長手方向端部（短辺部分）を吹出口本体４０の額縁部４２ａに載置状態とされて吹出口本体４０に着脱可能に取付けられる構成である。このフィルタ支持体４４の端部のうち、長手方向両端部については、額縁部４２ａに載置可能な突出部４４ａを有する断面形状とされるが、短手方向の端部（長辺部分）にはこうした突出部分は配設されておらず、フィルタ支持体４４を長手方向両端部のみで支持される構成とすることで、不要な物理的干渉を避けてフィルタ支持体４４の吹出口本体４０への取付が無理なく速やかに行えるようにしている。なお、フィルタ支持体４４における前記額縁部４２ａに載置可能な突出部４４ａについては、フィルタ支持体４４の長手方向両端部に設ける代わりに、短手方向の両端部に設けるようにすることもできる。
【００７６】
次に、前記構成に基づく吹出口装置におけるフィルタの着脱について説明する。吹出口本体４０に初めてフィルタ４３を取付ける場合、あらかじめ取付枠４１と額縁枠４２とを一体化させてなる吹出口本体４０に対し、一体のフィルタ４３及びフィルタ支持体４４を近接させ、フィルタ支持体４４の長手方向端部の一方を開口部４０ａに進入させると共に額縁部４２ａ上方の空気調和対象空間から離れた奥側の箇所に位置させ、フィルタ支持体４４の長手方向端部の他方も開口部４０ａに入るようにする。フィルタ支持体４４の全体が開口部４０ａに入ったら、フィルタ支持体４４の位置をずらして、フィルタ支持体４４の長手方向端部の他方を額縁部４２ａ上に載せていくと共に、フィルタ支持体４４の長手方向端部の一方を奥側から額縁部４２ａの上側に近付けていく。フィルタ支持体４４の長手方向両端部をそれぞれ額縁部４２ａ上に当接させて載置状態としたら、取付完了となる。この時、フィルタ支持体４４と一体のフィルタ４３は、当初からの緊張状態を維持して凹凸の無い平面形状を保ったまま、開口部４０ａを覆うように位置することとなる。
【００７７】
こうしてフィルタ４３及びフィルタ支持体４４が取付けられた状態では、前記第１の実施形態同様、吹出口本体４０のなす枠状部分の内側にフィルタ４３のある開口部４０ａが位置する外観が得られ、各部が天井５０面から大きく突出することもなく、一般的な吹出口に近い形状となっていることに加えて、本実施形態の場合には、フィルタ支持体４４の取付位置の関係から、空気調和対象空間側からフィルタ支持体４４のフィルタ固定部分が見えないことにより、吹出口としてシンプルで優れた美観を得られることとなる。
【００７８】
一方、フィルタ４３を交換する際には、フィルタ支持体４４を前記と逆に動かして、フィルタ支持体４４の長手方向端部の一方を持上げて額縁部４２ａ上方の空気調和対象空間から離れた奥側に向わせると共に、フィルタ支持体４４の長手方向端部の他方を額縁部４２ａ上から外れる向きにずらしていき、フィルタ支持体４４の長手方向端部の他方から開口部４０ａ外に取出す。フィルタ支持体４４の全体を開口部４０ａから取出せば、フィルタ４３をフィルタ支持体４４ごと新しいものに交換できる。新たなフィルタ４３及びフィルタ支持体４４については、前記同様の手順で取付けることができ、フィルタ支持体４４を周端部に一体化していることで、フィルタ４３の緊張状態が常時維持され、交換時にフィルタ４３を平面状に張るような特別な作業は不要となる。
【００７９】
このように、本実施形態に係る吹出口装置においては、内周側に突出する額縁部４２ａを有する枠状の吹出口本体４０に対し、布状材のフィルタ４３と一体化した略枠状のフィルタ支持体４４が額縁部４２ａに取付けられて、フィルタ４３が緊張状態で吹出口本体４０の開口部４０ａに配置されることから、天井面又は壁面に露出した枠状部分の内側にフィルタ４３のある開口部４０ａが位置する外観が得られ、天井面や壁面から大きく突出しない一般的な吹出口に近い形状となって配設状態での違和感を無くせ、様々な箇所に広く適用できる。また、吹出口本体４０に対しフィルタ支持体４４及びフィルタ４３を容易に着脱交換でき、新しいフィルタへの交換が手間無く行えると共に、フィルタ支持体４４との組合せでフィルタ４３を張った状態で固定化でき、交換時にフィルタを緊張させる作業を要さず、手間無く交換を経てもフィルタが平面状に緊張した好ましい外観を確保できる。
【図面の簡単な説明】
【００８０】
【図１】本発明の第１の実施形態に係る吹出口装置の底面図及び断面図である。
【図２】本発明の第１の実施形態に係る吹出口装置の要部拡大断面図である。
【図３】本発明の第１の実施形態に係る吹出口装置におけるフィルタの取付状態説明図である。
【図４】本発明の第１の実施形態に係る吹出口装置における吹出口本体及び弾性体の他例でのフィルタ取付状態説明図である。
【図５】本発明の第１の実施形態に係る吹出口装置の他例の要部拡大断面図である。
【図６】本発明の第１の実施形態に係る吹出口装置の他例における弾性体及び額縁枠取付状態説明図である。
【図７】本発明の第２の実施形態に係る吹出口装置における額縁枠へのフィルタ取付状態説明図である。
【図８】本発明の第２の実施形態に係る吹出口装置における額縁枠取付状態説明図である。
【図９】本発明の第３の実施形態に係る吹出口装置の左半分省略底面図である。
【図１０】本発明の第３の実施形態に係る吹出口装置のフィルタ取付状態説明図である。
【図１１】本発明の第４の実施形態に係る吹出口装置の底面図である。
【図１２】本発明の第４の実施形態に係る吹出口装置におけるフィルタ支持体の長手方向端部及び短手方向端部の各拡大断面図である。
【図１３】本発明の第４の実施形態に係る吹出口装置におけるフィルタ支持体取付状態説明図である。
【符号の説明】
【００８１】
１、３、４                      吹出口装置
１０、２０、３０、４０          吹出口本体
１０ａ、２０ａ、３０ａ、４０ａ  開口部
１１、２１、３１、４１          取付枠
１１ａ                          凹部
１２、２２、３２、４２          額縁枠
１２ａ、１２ｂ、２２ａ、３２ａ  凹部
１３、２３、３３、４３          フィルタ
１４、１７、２４、３４          弾性体
１５、１６                      面ファスナ
１８              カバー部
２２ｂ            溝部
４２ａ            額縁部
４４              フィルタ支持体
４４ａ            突出部
５０              天井
５１              チャンバ
【図１】
2009109128.tif 000003
【図２】
2009109128.tif 000004
【図３】
2009109128.tif 000005
【図４】
2009109128.tif 000006
【図５】
2009109128.tif 000007
【図６】
2009109128.tif 000008
【図７】
2009109128.tif 000009
【図８】
2009109128.tif 000010
【図９】
2009109128.tif 000011
【図１０】
2009109128.tif 000012
【図１１】
2009109128.tif 000013
【図１２】
2009109128.tif 000014
【図１３】
2009109128.tif 000015